(57)【特許請求の範囲】
【請求項１】
地中連続壁と、この地中連続壁の内部に形成される内巻き壁とを備え、前記地中連続壁と内巻き壁との間に跨るように鉄筋やスタッドボルトなどの連結材を埋設する地中壁の構築工法において、
前記地中連続壁と前記内巻き壁との接合面に縁切りシートを介装するとともに、
前記連結材は、前記地中壁側に埋設される先行連結部と、前記内巻き壁側に埋設される後行連結部とを備え、前記後行連結部は、一端が前記地中連続壁側に埋設される先行連結部に固設された後行ジベル筋と、前記後行ジベル筋の他端側に固設され、前記内巻き壁内に埋設される拡大頭部とを有し、
前記後行ジベル筋の外周に、面内方向の変形を許容する収縮吸収部を設けたことを特徴とする地中壁の構築工法。
【請求項２】
前記収縮吸収部は、前記後行ジベル筋の外周に捲回した高減衰ゴム，天然ゴム，アスファルト，スポンジなどの圧縮変形可能な軟質吸収材からなることを特徴とする請求項１記載の地中壁の構築工法。
【請求項３】
前記収縮吸収部は、前記縁切りシートに沿ってスライド移動自在に設けられ、前記後行ジベル筋を内部に収納した筒体と、この筒体と前記後行ジベル筋との間に収納された粒状吸収材とからなることを特徴とする請求項１記載の地中壁の構築工法。
【請求項４】
地中連続壁と、この地中連続壁の内部に形成される内巻き壁とを備え、前記地中連続壁と内巻き壁との間に跨るように鉄筋やスタッドボルトなどの連結材を埋設する地中壁の構築工法において、
前記地中連続壁と前記内巻き壁との接合面に縁切りシートを介装するとともに、
前記連結材は、前記地中壁側に埋設される先行連結部と、前記内巻き壁側に埋設される後行連結部とを備え、前記後行連結部に、面内方向の変形を許容する収縮吸収部を設けた地中壁の構築工法であって、
前記後行連結部は、前記地中連続壁内に埋設された先行連結部と連結され、前記縁切りシートに沿ってスライド移動自在に設けられたプレート部と、このプレート部に固設された複数の後行ジベル筋と備え、
一端が前記先行連結部と連結され、他端側が前記プレート部に設けた透孔内を挿通してナットが螺着されるボルトからなる連結部分を有し、
前記収縮吸収部を前記ボルト前記透孔との間に設けたことを特徴とする地中壁の構築工法。
【請求項５】
前記縁切りシートは、前記地中連続壁側に配置される透水性シートと、前記内巻き壁側に配置される止水性シートとからなる２層構造であることを特徴とする請求項１から４のいずれか１項記載の地中壁の構築工法。
【発明の詳細な説明】
【０００１】
【発明の属する技術分野】
この発明は、地中壁の構築工法に関し、特に、地中連続壁と内巻き壁とを一体化させる地中壁の構築工法に関するものである。
【０００２】
【従来の技術】
地下タンクや地下鉄トンネルなどを構築する際のシールド掘進機の発進，到達立坑などの地下地下構造物を構築する際には、大深度化に対応するため、あるいは、耐震性上の観点から地中連続壁工法が用いられている。
【０００３】
地中連続壁工法は、地上から細幅な縦溝を掘削し、この縦溝内に鉄筋籠を建込み、次いで、コンクリートを打設してパネル状の単位壁体を形成し、このような単位壁体を順次連結することで地中連続壁を形成する。このようにして構築される地中連続壁は、仮設用土留め壁あるいは本体壁の一部として利用されている。
【０００４】
このうち、本体壁の一部に利用する場合には、先行して形成される地中連続壁の内部を掘削した後に、壁面を高圧洗浄機により洗浄したり、あるいは、ハツリ作業により粗面化処理を施し、内巻き壁をその内面側に形成する。
【０００５】
このとき、地中連続壁と内巻き壁との間には、鉄筋埋め込み工法ないしはジベル溶接工法により、鉄筋やスタッドボルトなどの連結材を両者に跨るようにして埋設し、両者間の一体化を図って、外力に抵抗させていた。
【０００６】
しかしながら、このような従来の地中壁の構築工法には、以下に説明する技術的な課題があった。
【０００７】
【発明が解決しようとする課題】
すなわち、地中連続壁と内巻き壁とを一体的に構築する際には、先行形成される地中連続壁が内巻き壁を拘束し、かつ、連結材を地中連続壁と内巻き壁との間に介在させると、これらの部材自体が、内巻き壁を拘束し、内巻き壁を形成する打設コンクリートの乾燥収縮や温度収縮が発生した際に、この拘束により変形が規制されて、内巻き壁にひび割れが発生する。
【０００８】
このようなひび割れが発生すると、美観を損なうだけでなく、耐久性や水密性の低下に繋がり、その補修には、多大の手間と時間がかかる。
【０００９】
本発明は、このような従来の問題点に鑑みてなされたものであって、その目的とするところは、内巻き壁のひび割れ発生を大幅に低減することができる地中壁の構築工法を提供することにある。
【００１０】
【課題を解決するための手段】
上記目的を達成するために、本発明は、地中連続壁と、この地中連続壁の内部に形成される内巻き壁とを備え、前記地中連続壁と内巻き壁との間に跨るように鉄筋やスタッドボルトなどの連結材を埋設する地中壁の構築工法において、前記地中連続壁と前記内巻き壁との接合面に縁切りシートを介装するとともに、前記連結材は、前記地中壁側に埋設される先行連結部と、前記内巻き壁側に埋設される後行連結部とを備え、前記後行連結部は、一端が前記地中連続壁側に埋設される先行連結部に固設された後行ジベル筋と、前記後行ジベル筋の他端側に固設され、前記内巻き壁内に埋設される拡大頭部とを有し、前記後行ジベル筋の外周に、面内方向の変形を許容する収縮吸収部を設けた。
このように構成した地中壁の構築工法によれば、まず、地中連続壁と内巻き壁との接合面に縁切りシートが介装されているので、内巻き壁に対する地中連続壁の拘束が排除される。
また、内巻き壁側に埋設される後行連結部の後行ジベル筋の外周に、面内方向の変形を許容する収縮吸収部を設けているので、内巻き壁に対する後行連結部の面内方向の拘束が排除される。
前記収縮吸収部は、前記後行ジベル筋の外周に捲回した高減衰ゴム，天然ゴム，アスファルト，スポンジなどの圧縮変形可能な軟質吸収材で構成することができる。
この構成によれば、内巻き壁側に埋設される後行連結部の後行ジベル筋の外周に、圧縮変形可能な軟質吸収材を捲回しているので、乾燥や温度収縮に伴う内巻き壁の変形が、軟質吸収材により許容され、簡単な構成の付加により、後行ジベル筋の拘束を排除することができる。
前記収縮吸収部は、前記縁切りシートの面上に沿って移動自在に設けられ、前記後行ジベル筋を内部に収納した筒体と、この筒体と前記後行ジベル筋との間に収納された粒状吸収材とで構成することができる。
この構成によれば、収縮吸収部は、縁切りシートの面上に沿ってスライド移動自在に設けられ、後行ジベル筋を内部に収納した筒体と、この筒体と後行ジベル筋との間に収納された粒状吸収材とで構成しているので、乾燥や温度収縮に伴う内巻き壁の変形が、粒状吸収材の移動を伴う筒体のスライド移動により許容され、後行ジベル筋の拘束が排除される。
また、本発明は、地中連続壁と、この地中連続壁の内部に形成される内巻き壁とを備え、前記地中連続壁と内巻き壁との間に跨るように鉄筋やスタッドボルトなどの連結材を埋設する地中壁の構築工法において、前記地中連続壁と前記内巻き壁との接合面に縁切りシートを介装するとともに、前記連結材は、前記地中壁側に埋設される先行連結部と、前記内巻き壁側に埋設される後行連結部とを備え、前記後行連結部に、面内方向の変形を許容する収縮吸収部を設けた地中壁の構築工法であって、前記後行連結部は、前記地中連続壁内に埋設された先行連結部と連結され、前記縁切りシートに沿ってスライド移動自在に設けられたプレート部と、このプレート部に固設された複数の後行ジベル筋と備え、一端が前記先行連結部と連結され、他端側が前記プレート部に設けた透孔内を挿通してナットが螺着されるボルトからなる連結部分を有し、前記収縮吸収部を前記ボルト前記透孔との間に設けた。
この構成によれば、収縮吸収部を後行連結部のプレートと前記先行連結部との連結部分に設けているので、内巻き壁の面内方向の変形が収縮吸収部により許容され、後行連結部の拘束が排除される。
前記縁切りシートは、前記地中連続壁側に配置される透水性シートと、前記内巻き壁側に配置される止水性シートとからなる２層構造で構成することができる。
この構成によれば、地中連続壁内を浸透してきた水は、内巻き壁側に配置される止水性シートで遮断されるとともに、透水性シートを伝って流下するので、地中壁の止水性が向上する。
【００１１】
【発明の実施の形態】
以下、本発明の好適な実施の形態について、添付図面に基づいて詳細に説明する。図１から図３は、本発明にかかる地中壁の構築工法の第１実施例を示している。
【００１２】
同図に示した地中壁の構築工法では、地中連続壁１０を形成した後に、その内側に内巻き壁１２が一体的に構築される。地中連続壁１０と内巻き壁１２との間には、縁切りシート１５が介装されるとともに、地中連続壁１０と内巻き壁１２との間に跨るようにして連結材１４が設置される。
【００１３】
連結材１４は、地中連続壁１０側に埋設される先行連結部１６と、内巻き壁１２側に埋設される後行連結部１８とから構成されている。
【００１４】
地中連続壁１０は、地中連続壁工法により構築されるものであって、図１に示すように、地上から細幅な縦溝１０ａを掘削し、この縦溝１０ａ内に鉄筋籠１０ｂを建込み、次いで、コンクリートを打設して、パネル状の単位壁体を形成し、このような単位壁体を順次横方向に連結することで、地中連続壁１０が形成される。
【００１５】
このような地中連続壁１０を形成する際には、縦溝１０ａ内に建込まれる鉄筋籠１０ｂに、予め先行連結部１６が係止される。本実施例の先行連結部１６は、内巻き壁１２側に近接配置される接合プレート１６ａと、この接合プレート１６ａの一面側に固設された複数の先行ジベル筋１６ｂとを有している。
【００１６】
各先行ジベル筋１６ｂの先端には、拡大頭部１６ｃが形成されている。先行連結部１６が埋設された地中連続壁１０が形成されると、その内部側が根切り掘削される。
【００１７】
根切り掘削が終了すると、内巻き壁１２をその内面側に形成する前に、縁切りシート１５の敷設と、後行連結部１８と先行連結部１６とを連結させる作業が行われる。
【００１８】
本実施例の場合には、縁切りシート１５は、図２にその一部を拡大して示すように、透水性シート１５ａと、止水性シート１５ｂとの２層構造となっているので、シート１５を地中連続壁１０の内面に敷設する際には、透水性シート１５ａが地中連続壁１０側に位置し、止水性シート１５ｂがこれから形成される内巻き壁１２側に位置するようにセットする。
【００１９】
このような縁切りシート１５は、地中連続壁１０と内巻き壁１２とが接合する全面に亙って介在するように敷設する。後行および先行連結部１８，１６の連結作業は、以下の手順で行われる。
【００２０】
すなわち、本実施例の後行連結部１８は、図２，３に示すように、複数の後行ジベル筋１８ａから構成され、各後行ジベル筋１８ａの先端側には、拡大頭部１８ｂが設けられている。
【００２１】
また、各後行ジベル筋１８ａの外周には、内巻き壁１２の面内方向の変形を許容する収縮吸収部２０が設けられている。本実施例の収縮吸収部２０は、図３に示すように、拡大頭部１８ｂを除くジベル筋１８ａの外周に、適宜長さで捲回した柔軟な軟質吸収材２０ａから構成されている。
【００２２】
このような軟質吸収材２０ａは、例えば、高減衰ゴム，天然ゴム，アスファルト，スポンジなどの圧縮変形可能な部材から選択される。収縮吸収部２０が設けられた各後行ジベル筋１８ａは、その基部が先行連結部１６の接合プレート１６ａに溶接固定される。
【００２３】
この場合の各後行ジベル筋の溶接位置は、先行ジベル筋１６ｃとほぼ同一直線上に位置するように設定される。以上のようにして、縁切りシート１５の敷設と、後行連結部１８の連結作業が終了すると、鉄筋２１を組立てて、型枠を設置して、内巻き壁１２用のコンクリートが打設され、打設コンクリートの硬化後脱型すると、内巻き壁１２の形成が終了し、地中連続壁１０と内巻き壁１２とを一体化させた地中壁の構築が完了する。
【００２４】
さて、以上のようにして行われる地中壁の構築工法によれば、まず、地中連続壁１０と内巻き壁１２との接合面に、全面に亙って縁切りシート１５が介装されているので、内巻き壁１２に対する地中連続壁１０の拘束が縁切りシート１５により排除される。
【００２５】
また、内巻き壁１２側に埋設される後行連結部１８に、内巻き壁１２の面内方向の変形を許容する収縮吸収部２０を設けているので、内巻き壁１２に対する後行連結部１８の拘束も排除される。
【００２６】
従って、これらの相乗作用により、内巻き壁１２の乾燥，温度収縮に対する変形の自由度が確保され、美観や止水性，耐久性を損なうひび割れの発生を大幅に低減することができる。
【００２７】
この場合、後行連結部１６の一部、より具体的には、後行ジベル筋１８ａの拡大頭部１８ｂは、内巻き壁１２中に直接接触するように埋設されているので、地中連続壁１０側からの水平荷重は、この部分を介して内巻き壁１２に伝達され、地中連続壁１０と内巻き壁１２との一体性を確保することができる。
【００２８】
また、本実施例の場合には、収縮吸収部２０は、後行ジベル筋１８ａの外周に捲回した軟質吸収材２０ａで構成しており、この軟質吸収材２０が圧縮変形可能なので、乾燥や温度収縮に伴う内巻き壁１２の変形が、軟質吸収材２０ａの変形により許容され、簡単な構成の追加により、後行ジベル筋１８ａの拘束が排除される。
【００２９】
さらに、本実施例の場合には、縁切りシート１５は、地中連続壁１０側に配置される透水性シート１５ａと、内巻き壁１２側に配置される止水性シート１５ｂとからなる２層構造になっているので、地中連続壁１０内を浸透してきた水は、内巻き壁１２側に配置される止水性シート１５ｂで遮断されるとともに、透水性シート１５ａを伝って流下するので、内巻き壁１２の止水性が向上する。
【００３０】
図４は、本発明にかかる地中壁の構築工法の第２実施例を示しており、上記第１実施例と同一もしくは相当する部分には、同一符号を付してその説明を省略するとともに、以下にその特徴点についてのみ説明する。
【００３１】
同図に示した実施例では、内巻き壁１２側に埋設された後行連結部１８は、第１実施例と同様に、地中連続壁１０側に埋設された先行連結部１６の接合プレート１６ａに固設される後行ジベル筋１８ａを有している。
【００３２】
一方、面内方向の変形を許容する収縮吸収部２００は、縁切りシート１５の面上に沿ってスライド移動自在な筒体２００ａと、筒体２００ａと後行ジベル筋１８ａとの間に設けられた空間に充填された粒状の吸収材２００ｂとから構成されている。
【００３３】
粒状の吸収材２００ｂは、例えば、砕石などの硬質粒体ないしはゴムなどの軟質粒体のいずれでもよく、硬質粒体の場合には、この粒体が筒体２００ａ内で移動できるように、比較的緩く充填する。
【００３４】
また、軟質粒体の場合には、それ自体の変形が可能なので、筒体２００ａ内に密に充填してもよい。
【００３５】
このように構成した収縮吸収部２００によれば、第１実施例と同様に、乾燥や温度収縮に伴う内巻き壁１２の変形が、粒状吸収材２００ｂの移動，変形を伴う筒体２００ａのスライド移動により許容され、後行ジベル筋１８０ａの拘束が排除される。
【００３６】
なお、本実施例の場合には、筒体２００ａと縁切りシート１５および筒体２００ａと拡大頭部１８０ｂとの間に、例えば、グリスなどの粘稠剤を介在させて、打設コンクリートの回り込みを防止する必要がある。
【００３７】
図５は、本発明にかかる地中壁の構築工法の第３実施例を示しており、上記第１実施例と同一もしくは相当する部分には、同一符号を付してその説明を省略するとともに、以下にその特徴点についてのみ説明する。
【００３８】
同図に示した実施例では、内巻き壁１２側に埋設された後行連結部１８０は、平板状のプレート部１８０ａと、このプレート部１８０ａに固設された複数の後行ジベル筋１８０ｂとを備えている。
【００３９】
プレート部１８０ａは、縁切りシート１５の面上に沿ってスライド移動自在に設置され、その中心には、透孔１８０ｃが貫通形成されてる。透孔１８０ｃは、例えば、円形，楕円形，長円形に形成され、その内周面に収縮吸収部２０１が設けられている。
【００４０】
この実施例の収縮吸収部２０１は、上記第１実施例と同様に、高減衰ゴム，天然ゴム，アスファルト，スポンジなどの圧縮変形可能な収縮吸収部材２０１ａであって、中心に貫通孔が設けられたリング状の収縮材２０１ａが透孔１８０ｃに接着固定されている。
【００４１】
本実施例の後行連結部１８０は、面内方向の変形を許容する収縮吸収部２０１を介して、先行連結部１６と以下の構成により連結されている。
【００４２】
図５に示した連結部分は、接合プレート１６ａに固設されたボルト２２と、このボルト２２に螺着されるナット２４とを備え、ボルト２２を収縮吸収部２０１内に挿通して、ナット２４を締め付けることにより、先行および後行連結部１６，１８１が結合されている。
【００４３】
以上のように構成された地中壁によれば、収縮吸収部２０１を後行連結部１８０のプレート１８０ａと先行連結部１６との連結部分に設けているので、内巻き壁１２は、後行連結部１８０に拘束されるが、内巻き壁１２は、収縮吸収部２０１の変形を伴うプレート１８２ａのスライド移動により、面内方向の変形が許容されるので、ひび割れの発生を低減することができる。
【００４４】
なお、図５に示した実施例では、ボルト２２は、比較的短いので、これを接合プレート１６ａに予め固設しておき、根切り掘削の際にハツリ出すことができる。
【００４５】
また、同図に示した実施例では、第２実施例と同様に、プレート１８０ａと縁切りシート１５との間に打設コンクリートの回り込みを防止する対策を施す必要がある。
【００４６】
【発明の効果】
以上、実施例で詳細に説明したように、本発明にかかる地中壁の構築工法によれば、内巻き壁のひび割れの発生を大幅に低減することが可能になる。
【図面の簡単な説明】
【図１】本発明にかかる地中壁の構築工法の第１実施例における地中連続壁を形成した後に、内部を根切り掘削した状態の断面説明図である。
【図２】図１に引き続いて行われる内巻き壁の構築工程の断面説明図である。
【図３】図２の要部拡大図である。
【図４】本発明にかかる地中壁の構築工法の第２実施例を示す要部断面説明図である。
【図５】本発明にかかる地中壁の構築工法の第３実施例を示す要部断面説明図である。
【符号の説明】
１０          地中連続壁
１２          内巻き壁
１４          連結材
１５          縁切りシート
１６          先行連結部
１８，１８０  後行連結部
１８ａ        後行ジベル筋
１８ｂ        拡大頭部
２０，２００，２０１      収縮吸収部
【図１】
0003552534.tif 000002
【図２】
0003552534.tif 000003
【図３】
0003552534.tif 000004
【図４】
0003552534.tif 000005
【図５】
0003552534.tif 000006